(57)【特許請求の範囲】
【請求項１】
手動で操作されるタップ切換器を備えた移動変圧器と、
既設変圧器の一次側の各線に高圧側ケーブルを介してそれぞれ接続される高圧側端子と、
前記高圧側端子と前記移動変圧器の一次側端子との間に配置された高圧側遮断器と、
前記既設変圧器の二次側の各線に低圧側ケーブルを介してそれぞれ接続される低圧側端子と、
前記低圧側端子と前記移動変圧器の二次側端子との間に配置された低圧側遮断器と、
前記低圧側遮断器の投入条件を判定して少なくとも前記低圧側遮断器の投入を制御する制御装置とを具備し、
少なくとも前記移動変圧器、前記高圧側遮断器、前記低圧側遮断器及び前記制御装置が移動可能な収納ケースに収納されている移動変圧器設備において、
前記移動変圧器は、第１の側面と、前記第１の側面と対向する第２の側面と、前記第１の側面と前記第２の側面との間に位置する第３の側面とを備え、前記第１の側面に前記タップ切換器の手動操作部を有し、
前記収納ケースは、第１の開口部を有する第１の側壁部と、第２の開口部を有して前記第１の側壁部と対向する第２の側壁部と、前記第１及び第２の側壁部の間に位置する第３の側壁部と、前記第３の側壁部と対向する第４の側壁部とを備え、
前記第１及び第２の開口部に対してそれぞれ開閉扉が設けられ、
前記移動変圧器は、前記第１の側面が前記第１の側壁部と対向し、前記第２の側面が前記第２の側壁部と対向し、前記第３の側面が前記第３の側壁部と対向するように前記収納ケースの内部に配置され、
前記収納ケースの内部には前記第１の側壁部の前記第１の開口部を通して操作可能な位置に前記制御装置の操作部と前記低圧側遮断器とが配置され、
前記収納ケースの内部の前記第２の側壁部と前記移動変圧器の前記第２の側面との間の空間内に前記高圧側遮断器が配置され、
前記収納ケースの前記第３の側壁部側から接続可能な内部または前記第３の側壁部には前記高圧側端子と前記低圧側端子が配置され、
前記高圧側端子は前記収納ケースの前記第２の側壁部側に配置され、また前記低圧側端子は前記第１の側壁部側に配置されており、
前記移動変圧器の前記第２の側面には、前記高圧側遮断器と前記高圧側端子との間に設けられる限流ヒューズが固定されていることを特徴とする移動変圧器設備。
【請求項２】
手動で操作されるタップ切換器を備えた移動変圧器と、
既設変圧器の一次側の各線に高圧側ケーブルを介してそれぞれ接続される高圧側端子と、
前記高圧側端子と前記移動変圧器の一次側端子との間に配置された高圧側遮断器と、
前記既設変圧器の二次側の各線に低圧側ケーブルを介してそれぞれ接続される低圧側端子と、
前記低圧側端子と前記移動変圧器の二次側端子との間に配置された低圧側遮断器と、
前記低圧側遮断器の投入条件を判定して少なくとも前記低圧側遮断器の投入を制御する制御装置とを具備し、
前記移動変圧器、前記高圧側遮断器、前記高圧側端子、前記低圧側端子、前記低圧側遮断器及び前記制御装置が移動可能な収納ケースに収納されている移動変圧器設備において、
前記移動変圧器は、第１の側面と、前記第１の側面と対向する第２の側面と、前記第１の側面と前記第２の側面との間に位置する第３の側面とを備え、前記第１の側面に前記タップ切換器の手動操作部を有し、
前記収納ケースは、第１の開口部を有する第１の側壁部と、第２の開口部を有して前記第１の側壁部と対向する第２の側壁部と、前記第１及び第２の側壁部の間に位置して第３の開口部を有する第３の側壁部と、前記第３の側壁部と対向する第４の側壁部とを備え、
前記第１乃至第３の開口部に対してそれぞれ開閉扉が設けられ、
前記移動変圧器は、前記第１の側面が前記第１の側壁部と対向し、前記第２の側面が前記第２の側壁部と対向し、前記第３の側面が前記第３の側壁部と対向するように前記収納ケースの内部に配置され、
前記収納ケースの内部には前記第１の側壁部の前記第１の開口部を通して操作可能な位置に前記制御装置の操作部と前記低圧側遮断器とが配置され、
前記収納ケースの内部の前記第２の側壁部と前記移動変圧器の前記第２の側面との間の空間内に前記高圧側遮断器が配置され、
前記収納ケースの内部には前記第３の側壁部の前記第３の開口部を通して接続可能な位置に前記高圧側端子と前記低圧側端子が配置され、
前記第３の開口部内において、前記高圧側端子は前記収納ケースの前記第２の側壁部側に配置され、また前記低圧側端子は前記第１の側壁部側に配置されており、
前記移動変圧器の前記第２の側面には、前記高圧側遮断器と前記高圧側端子との間に設けられる限流ヒューズが固定されていることを特徴とする移動変圧器設備。
【請求項３】
前記高圧側遮断器は前記限流ヒューズの下方に配置されている請求項１または２に記載の移動変圧器設備。
【請求項４】
前記移動変圧器の前記第３の側面には、前記低圧側遮断器が固定されている請求項１または２に記載の移動変圧器設備。
【請求項５】
前記移動変圧器の前記第３の側面には、前記移動変圧器の前記二次側端子と前記低圧側遮断器とを接続するケーブルに装着されて電流を測定する変流器が固定されている請求項３に記載の移動変圧器設備。
【請求項６】
前記収納ケースの上部には、前記高圧側ケーブル及び前記低圧側ケーブルを収納するケーブル収納部が設けられている請求項１または２に記載の移動変圧器設備。
【発明の詳細な説明】
【０００１】
【発明の属する技術分野】
本発明は、既設変圧器の無停電交換工事や災害時等に使用される移動変圧器設備に関するものである。
【０００２】
【従来の技術】
既設変圧器を無停電で交換する場合や、災害等で既設変圧器が使用できなくなった場合には、トラック等の移動用車両に搭載されて工事現場や災害現場に運ばれる移動変圧器設備が用いられる。従来の移動変圧器設備は、手動で操作されるタップ切換器を備えた移動変圧器と、既設変圧器の一次側の各線に高圧側ケーブルを介してそれぞれ接続される高圧側端子と、この高圧側端子と移動変圧器の一次側端子との間に配置された高圧側遮断器と、既設変圧器の二次側の各線に低圧側ケーブルを介してそれぞれ接続される低圧側端子と、この低圧側端子と移動変圧器の二次側端子との間に配置された低圧側遮断器と、低圧側遮断器の投入条件を判定して少なくとも低圧遮断器の投入を制御する制御装置とが、専用のトラックの荷台上に構築された大型の収納ケースの内部に収納された構造を有している。また収納ケースには、高圧側ケーブル及び低圧側ケーブルを収納するケーブル収納室も設けられている。
【０００３】
【発明が解決しとする課題】
しかしながら従来は、専用のトラックの荷台上に大型の収納ケースを構築するという発想の下に移動変圧器設備を構成していたので、特に設備をコンパクト化する必要がなかった。そのため収納ケースの内部に収納する各機器の配置に関してもコンパクト化のための格別な工夫がなされていないのが現状であった。
【０００４】
本発明の目的は、専用のトラックを用意するのではなく、一般的なトラックで搬送可能な小型の移動変圧器設備を提供することにある。
【０００５】
本発明の他の目的は、小型でしかも組み立ての容易な移動変圧器設備を提供することにある。
【０００６】
本発明の他の目的は、小型でしかも操作の安全性に優れた移動変圧器設備を提供することにある。
【０００７】
本発明の更に他の目的は、小型化してしかも高圧側ケーブル及び低圧側ケーブルを併せて搬送できる移動変圧器設備を提供することにある。
【０００８】
【課題を解決するための手段】
本発明が改良の対象とする移動変圧器設備は、手動で操作されるタップ切換器を備えた移動変圧器と、既設変圧器の一次側（高圧側）の各線に高圧側ケーブルを介してそれぞれ接続される高圧側端子と、高圧側端子と移動変圧器の一次側端子との間に配置された高圧側遮断器と、既設変圧器の二次側（低圧側）の各線に低圧側ケーブルを介してそれぞれ接続される低圧側端子と、低圧側端子と移動変圧器の二次側端子との間に配置された低圧側遮断器と、低圧側遮断器の投入条件を判定して少なくとも低圧側遮断器の投入を制御する制御装置とを具備している。そして少なくとも移動変圧器、高圧側遮断器、低圧側遮断器及び制御装置が移動可能な収納ケースに収納されている。なお高圧側端子及び低圧側端子は収納ケースの内部または外部に配置することができる。
【０００９】
本発明においては、移動変圧器を、第１の側面にタップ切換器の手動操作部を有し、第１の側面と対向する第２の側面に一次側端子を備え、第１の側面と第２の側面との間に位置する第３の側面に二次側端子を備えた構造とする。また収納ケースは、第１の開口部を有する第１の側壁部と、第２の開口部を有して第１の側壁部と対向する第２の側壁部と、第１及び第２の側壁部の間に位置する第３の側壁部と、第３の側壁部と対向する第４の側壁部とを備えた構造とする。なお第３の側壁部には第３の開口部を設けてもよい。更に収納ケースの第１乃至第３の開口部に対しては、それぞれ開閉扉を設ける。
【００１０】
そして移動変圧器は、第１の側面が第１の側壁部と対向し、第２の側面が第２の側壁部と対向し、第３の側面が前記第３の側壁部と対向するように収納ケースの内部に配置する。また収納ケースの内部には第１の側壁部の第１の開口部を通して操作可能な位置に制御装置の操作部と低圧側遮断器とを配置する。更に収納ケースの内部の第２の側壁部と移動変圧器の第２の側面との間の空間内に高圧側遮断器を配置する。そして更に収納ケースの内部には第３の側壁部の第３の開口部を通して接続可能な位置に高圧側端子と低圧側端子が配置し、第３の開口部内において、高圧側端子を収納ケースの第２の側壁部側に配置し、また低圧側端子を第１の側壁部側に配置する。第３の開口部を設けない場合には、第３の側壁部の外側に高圧側端子及び低圧側端子を設ければよく、その場合にも高圧側端子を収納ケースの第２の側壁部側に配置し、また低圧側端子を第１の側壁部側に配置する。
【００１１】
本発明のように、移動変圧器の第１の側面側にタップ切換器の手動操作部と、制御装置の操作部と低圧側遮断器を配置して、収納ケースの第１の開口部からタップ切換器の手動操作部と制御装置の操作部とを操作できるようにし、また移動変圧器の第１の側面と反対側の第２の側面側に高圧側遮断器を配置して収納ケースに設けた第２の開口部を通して高圧側遮断器にアクセスできるようにし、更に収納ケースの第３の側壁部に設けた第３の開口部を通して接続可能な位置に配置した高圧側端子及び低圧側端子を（または第３の側壁部の外側に配置した高圧川端子及び低圧側端子を）、高圧側端子は収納ケースの第２の側壁部側に配置し、低圧側端子は第１の側壁部側に配置することにより、移動変圧器の両側に低圧側機器と高圧側機器とを別けて配置することができて、収納ケースの第３の側壁部と第４の側壁部との間の距離を短くしても、各機器を収納ケースの内部に収納することができる。したがって収納ケースを従来よりも大幅に小型化することができる。また収納ケースの内部における低圧側の電気的な接続と高圧側の電気的な接続とを、短い配線で且つ配線が複雑にならずに、簡単に行うことができる。また低圧側遮断器と高圧側遮断器とを移動変圧器の両側に別けて配置すると、手動操作により低圧側遮断器と高圧側遮断器とを操作する場合に、低圧側と高圧側を誤って操作する可能性が低くなる。
【００１２】
特に、移動変圧器の第２の側面に、高圧側遮断器と高圧側端子との間に設けられる限流ヒューズを固定し、高圧側遮断器を限流ヒューズの下方に配置すると、限流ヒューズを固定するための構造物が不要になるだけでなく、限流ヒューズと高圧側遮断器の設置スペースを小さくすることができて、収納ケースの更なる小型化を図ることができる。
【００１３】
また移動変圧器の第３の側面に、低圧側遮断器を固定すると、低圧側遮断器を固定するための構造物が不要になるだけでなく、低圧側遮断器の設置スペースを小さくすることができる。
【００１４】
更に移動変圧器の第３の側面に、移動変圧器の二次側端子と低圧側遮断器とを接続するケーブルに装着されて電流を測定する変流器を固定すると、変流器を固定するためだけの構造物が不要になるだけでなく、変流器の設置スペースを小さくすることができる。
【００１５】
収納ケースの上部に、高圧側ケーブル及び低圧側ケーブルを収納するケーブル収納部を設けると、収納ケースの高さが若干高くなるだけで、収納ケースの横断面形状を大きくする必要がない。そのため収納ケースが小型化を図ることができる。なおケーブル収納部は、ケーブルを完全に収納する構造を有している必要はなく、少なくとも上方が開口した形状を有しているのが好ましい。
【００１６】
【発明の実施の形態】
以下図面を参照して本発明の実施の形態の一例を詳細に説明する。図１〜図４は、本発明の移動変圧器設備５をトラック３の荷台に搭載したトラック搭載型移動変圧器設備１の左側面図、平面図、右側面図及び背面図である。このトラック３は市販の２トン積みトラックであり、トラック３の荷台３ａ上の前方寄り（運転席側寄り）の部分に、移動変圧器設備５が搭載されている。
【００１７】
図１〜図３を見ると分かるように、移動変圧器設備５はトラック３の荷台３ａの前方側に搭載された状態で荷台３ａの後方側に作業スペースを残すことができる大きさに構成されている。そして移動変圧器設備５はトラック３の荷台上に所定の固定具を用いて固定されている。市販のトラックであるため、移動変圧器設備５を使用する際には、荷台３ａの側方に回転自在に取付けられた側板３ｂ及び３ｃを外側に開いて、荷台３ａの下側に垂らし状態にする。なお理解を容易にするために、図１，図３及び図４においては、側板３ｂ及び３ｄを透明なものとして描いてある。
【００１８】
移動変圧器設備５を構成する機器は、すべて収納ケース７の内部に収納されている。収納ケース７は、鉄製のフレーム枠の上に複数枚の鉄板が装着されて構成された箱体構造を有している。収納ケース７は、トラック３の荷台３ａの一方の側方側（トラック３を正面から見たときの右側面側）に開口する第１の開口部９を有する第１の側壁部７ａ（図３参照）と、トラック３の荷台３ａの他方の側方側（トラック３を正面から見たときの左側面側）に開口する第２の開口部１１を有して第１の側壁部７ａと対向する第２の側壁部７ｂ（図１参照）と、第１及び第２の側壁部７ａ及び７ｂの間に位置してトラック３の荷台３ａの後方側に向かって開口する第３の開口部１３を有する第３の側壁部７ｃ（図４参照）と、第３の側壁部７ｃと対向しトラック３の運転席側に位置する第４の側壁部７ｄ（図１及び図３参照）とを備えている。そして第１乃至第３の開口部９，１１，１３に対してそれぞれ第１乃至第３の開閉扉１５，１７，１９が設けられている。
【００１９】
図３及び図４に示すように第１の開閉扉１５及び第３の開閉扉１９は、上下方向にスライドするスライド式扉であり、図１に示す第２の開閉扉１７は蝶番によって開閉する形式の蝶番式扉である。第１の開口部９の位置は、第１の開閉扉１５を上にスライドしたときに第１の開口部９を開き、下にスライドしたときに第１の開口部９が閉じられるように定められている。また第３の開口部１３の位置は、第３の開閉扉１９を下にスライドしたときに第３の開口部１３を開き、上にスライドしたときに第３の開口部１３が閉じられるように定められている。なお開閉扉１５及び１９には、開閉時に掴むハンドル２１及び２３が設けられている。また第２の開閉扉１７にも、扉の開閉時に操作されるレバー２５が設けられている。図３には図示していないが、第１の開閉扉１５に関しては、スライドの途中で複数段階に別けて扉を停止または固定することができるように、第１の開口部９と第１の開閉扉１５の双方に係止構造が設けられている。
【００２０】
収納ケース７の天板７ｅの外周部には４つの柵部材２７ａ〜２７ｄが固定されて、ケーブルを収納するケーブル収納部２７が構成されている。また収納ケース７の天板７ｅの四隅には吊り上げ用の係止金具２８が固定されている。
【００２１】
移動変圧器設備５をトラック３の荷台３ａの前方側に搭載された状態で荷台３ａの後方側に作業スペースを残すことができる大きさに構成するためには、移動変圧器設備５をコンパクト化しなければならない。この例では、次の様にして移動変圧器設備５をコンパクト化した。図５乃至図９は、移動変圧器設備５の収納ケース７の内部の構造を示している。なおこれらの図においては、収納ケースの外枠だけを実線で示してある。またこれらの図においては、理解を容易にするために主要部の配線ケーブルだけを図示してある。またこの装置の回路図は、図１０に示してある。
【００２２】
これらの図において、２９は移動変圧器である。この移動変圧器２９は、横長の変圧器ケース３１の内部に容量の異なる変圧器コイル（例えば５０ｋＷ，３０ｋＷ）が２台横に並ぶように（トラック３の荷台の左右の方向に並ぶように）収納されている。そして収納ケース７の高さをあまり高くしないようにするために、移動変圧器２９は収納ケース７の底部を構成するフレームによって形成される孔部に落とし込まれた状態でフレームに固定されている。移動変圧器２９は、収納ケース７の第１の側壁部７ａと対向する変圧器ケース３１の第１の側面３１ａにタップ切換器の手動操作部（ハンドル）３３を有している（図６及び図７参照）。図７に破線で示したように、この手動操作部（ハンドル）３３は収納ケース７に設けた第１の開口部９を通して操作可能な位置に設けられている。移動変圧器２９の電圧を調整する際に、手動操作部（ハンドル）３３は手動によって操作される。
【００２３】
図６及び図８に示すように移動変圧器２９の変圧器ケース３１の第１の側面３１ａと対向する第２の側面３１ｂには３つの三相の一次側端子（高圧側）３５Ｒ，３５Ｓ，３５Ｔが配置されている。また図５及び図８に示すように、変圧器ケース３１の第１の側面３１ａと第２の側面３１ｂとの間に位置する第３の側面３１ｃには、三相の出力端子と中性点端子とを含む４本の二次側端子３７Ｕ，３７Ｖ，３７Ｗ，３７Ｎを備えている。
【００２４】
図５，図６及び図８に示すように、収納ケース７の内部には、収納ケース７の第２の側壁部７ｂと移動変圧器２９の変圧器ケース３１の第２の側面３１ｂとの間の空間の下側部分内に高圧側遮断器３９が配置されている。この高圧側遮断器３９については後に詳しく説明する。そして図６及び図８に示すように移動変圧器２９の変圧器ケース３１の第２の側面３１ｂには、一次側端子３５Ｒ，３５Ｓ，３５Ｔの下の位置に、高圧側遮断器３９と後に説明する高圧側端子との間に設けられる限流ヒューズ４１Ｒ，４１Ｓ，４１Ｔを固定するための支持体４３（図８参照）が固定されている。このように限流ヒューズ４１Ｒ，４１Ｓ，４１Ｔを変圧器ケース３１に固定すると、限流ヒューズ４１Ｒ，４１Ｓ，４１Ｔを固定するための特別の構造物が不要になる。また限流ヒューズ４１Ｒ，４１Ｓ，４１Ｔの下に高圧側遮断器３９を配置すると設置スペースを小さくすることができて、収納ケース７の更なる小型化を図ることができる。
【００２５】
高圧側遮断器３９は、電動で投入と遮断とを行うことができ、しかも投入後は電力の供給がなくても投入状態を維持できるラッチ機構付の電動式高圧遮断器または高圧電磁接触器である。この種の電動式高圧遮断器としては、例えば株式会社安川電機がロータリアーク高圧電磁接触器ＨＧＲ−９５１Ｃ−Ｃの製品名で販売するものを用いることができる。なおこの実施の形態では、図５及び図８に示すように、この市販の高圧電磁接触器の操作軸には手動で高圧側遮断器３９の投入を行うための投入レバー４５を取付けている。またこの高圧側遮断器３９には、ラッチ機構を手動で外すための引き外しレバー４６が予め設けられている。投入レバー４５及び引き外しレバー４６は、図１に示した収納ケース７の第２の側壁部７ｂに設けた第２の開閉扉１７によって塞がれた第２の開口部１１を通して操作される。このように第１の開口部９とは別の第２の開口部１１を通して投入レバー４５及び引き外しレバー４６を操作できる位置に高圧側遮断器３９を配置すれば、作業員が誤ってこれらのレバー４５及び４６を操作することを極力防止できる。
【００２６】
また図５〜図７に示すように、収納ケース７の内部には、収納ケース７の第１の側壁部７ａの第１の開口部９を通して操作可能な位置に制御装置の表示機能付き操作装置４７及び手動操作部を含む制御装置固定側本体部４８（操作部）と低圧側遮断器４９が配置されている。これら表示機能付き操作装置４７及び制御装置固定側本体部４８は、移動変圧器２９の変圧器ケース３１の第１の側面３１ａに固定されている。特に表示機能付き操作装置４７は、表示手段と操作指令を高圧側遮断器３９及び低圧側遮断器４９のそれぞれの駆動回路に出力する操作指令出力手段を含んで持ち運び可能に構成されている。この例では、表示機能付き操作装置４７の内部にマイクロコンピュータが内蔵されていて、制御装置で行う判断のすべてをこの内蔵マイクロコンピュータで実行している。また表示機能付き操作装置４７の表示手段は、液晶のタッチパネルにより構成されており、表示機能の他にスイッチ機能を備えている。したがって作業者は、表示手段の画面に表示されたスイッチ表示をタッチするだけで、すべての操作指令を入力できる。このような構造になっているため、この例では表示機能付き操作装置４７が制御装置の主要部分を構成している。
【００２７】
図５に示すように、変圧器ケース３１の第１の側面３１ａには、表示機能付き操作装置４７を取り外し自在に固定する操作装置固定部５１が設けられている。操作装置固定部５１は、表示機能付き操作装置４７が操作装置固定部５１に固定された状態で収納ケース７の第１の開口部９を通して外部から表示手段を見ることができてしかも表示機能付き操作装置４７を操作できる位置に設けられている。表示機能付き操作装置４７のケースの両端には、頭部と捩子付の首部を有する係止用捩子部材４７ｃが設けられている。捩子付の首部は表示機能付き操作装置４７のケースに捩子結合されている。そして操作装置固定部５１を構成する一対の板部材５１ａ，５１ａには、係止用捩子部材４７ｃの首部が嵌合される溝部５１ｂ，５１ｂが形成されている。係止用捩子部材４７ｃの頭部を回して、締め付け力を緩めれば、表示機能付き操作装置４７を操作装置固定部５１から外すことができる。また表示機能付き操作装置４７を操作装置固定部５１に取付けた状態で、表示機能付き操作装置４７の取付角度を調節することもできる。
【００２８】
また制御装置固定側本体部４８は、非常時等に高圧側遮断器３９を遮断状態にするために高圧側遮断器３９の駆動回路に遮断指令信号を出力する非常停止スイッチＳＷ１を含んでいる。そして制御装置固定側本体部４８も、収納ケース７の第１の開口部９を通して操作可能な位置に設けられている。表示機能付き操作装置４７により高圧側遮断器３９及び低圧側遮断器４９の両方を操作する場合に、表示機能付き操作装置４７に非常停止スイッチを設けて表示機能付き操作装置４７側で高圧側遮断器を非常遮断できるようにすると、非常時以外のときに誤って高圧側遮断器３９を非常遮断させてしまい、停電事故が発生するおそれがある。そこでこの例では、高圧側遮断器３９を電動で遮断するための操作指令を出力する非常停止スイッチＳＷ１を、表示機能付き操作装置４７とは別に、制御装置固定側本体部４８に設けている。なお制御装置固定側本体部４８に設けたスイッチＳＷ２は、制御装置の制御電源スイッチである。
【００２９】
図９に示すように、この例では表示機能付き操作装置４７は、ケーブルを介して制御装置の制御装置固定側本体部４８に接続されている。この例のように制御装置の操作部の一部を構成する表示機能付き操作装置４７を持ち運び可能に（可搬に）設けると、トラック３の周囲に十分なスペースがない場合や周囲の見通しが悪い場合に、作業員は表示機能付き操作装置４７を持って任意の位置に移動し、任意の位置で高圧側遮断器３９及び低圧側遮断器４９の操作をすることができる。したがって作業員の負担が大幅に軽減できる。
【００３０】
低圧側遮断器４９は、移動変圧器２９の変圧器ケース３１の第３の側面３１ｃに固定された取付フレーム５２に固定されている。低圧側遮断器４９は、電動で投入と遮断の制御が可能なもので、この例では寺崎電機株式会社がＸＳ４００ＮＳの製品名で販売する配線用遮断器を用いている。この低圧側遮断器４９は、ケーブル接続端子箱４９Ａと遮断器本体４９Ｂとにより構成されており、遮断器本体４９Ｂには、故障時の操作を考慮して遮断用の手動操作ハンドルと工具挿入口とが設けられ、また手動投入スイッチも設けられている。低圧側遮断器４９は、高圧側遮断器３９と異なってラッチ機構を有していないため、故障していない限り、電源がなくなると自動的に遮断する。なお後に説明するように、低圧側遮断器４９は、高圧側遮断器３９を投入した後に、制御装置（４７）により低圧側遮断器４９の投入条件の判定が実施されて、制御装置（４７）から投入指令が出力されると投入状態になる。
【００３１】
収納ケース７の内部には、収納ケース７の第３の側壁部７ｃに設けた第３の開口部１３を通して接続可能な位置にケーブル端子盤５３が配置されている。ケーブル端子盤５３には、図示しない既設変圧器の一次側の各線に図示しない高圧側ケーブルを介してそれぞれ接続される高圧側端子５５Ｒ，５５Ｓ，５５Ｔと、既設変圧器の二次側の各線に図示しない低圧側ケーブルを介してそれぞれ接続される低圧側端子５７Ｕ1 ，５７Ｕ2 ，５７Ｎ1 ，５７Ｎ2 ，５７Ｖ1 ，５７Ｖ2 ，５７Ｗ1 ，５７Ｗ2 と、接地端子５８とが設けられている。この例では、低圧側端子５７Ｕ1 〜５７Ｗ2 を各相について２個ずつ設けている。これは各相について２本ずつのケーブルを用いることにより電流容量を２倍にするためである。なお各相の２つの低圧側端子は、それぞれ収納ケース７の内部で共通の端子部に電気的に接続されている。なお電流容量の大きい高価なケーブルを用いる場合には、低圧側端子を各相について１個ずつ設ければよいのは勿論である。図５に示されるように、高圧側端子５５Ｒ，５５Ｓ，５５Ｔは収納ケース７の第２の側壁部７ｂ側に配置され、また低圧側端子５７Ｕ1 〜５７Ｗ2 は収納ケース７の第１の側壁部７ａ側に配置されている。
【００３２】
高圧側端子５５Ｒ，５５Ｓ，５５Ｔは、図８及び図１０に示すように、限流ヒューズ４１Ｒ〜４１Ｔの高圧側に接続されている。そして限流ヒューズ４１Ｒ〜４１Ｔの低圧側は高圧側遮断器３９の入力端子に接続され、高圧側遮断器３９の出力端子は移動変圧器２９の一次側端子３５Ｒ〜３５Ｔに接続されている。また低圧側端子５７Ｕ1 〜５７Ｗ2 は、図６，図８及び図１０に示すように、低圧側遮断器４９のケーブル接続端子箱４９Ａの出力端子にそれぞれ電気的に接続されている。そして低圧側遮断器４９のケーブル接続端子箱４９Ａの入力端子は、移動変圧器２９の二次側端子３７Ｕ〜３７Ｗにそれぞれ接続されている。図５、図８及び図１０に示すように移動変圧器２９の二次側端子３７Ｕ〜３７Ｗと低圧側遮断器４９とを接続する４本のケーブルのうち２本のケーブルには移動変圧器２９の出力電流を測定するための変流器５９及び６１が配置されている。これらの変流器５９及び６１は、移動変圧器２９の変圧器ケース３１の第３の側面３１ｃに固定した取付板６３に固定されている。このようにすると、変流器を固定するためだけの構造物が不要になるだけでなく、変流器の設置スペースを小さくすることができる。
【００３３】
この例のように、移動変圧器２９の第１の側面３１ａ側にタップ切換器の手動操作部３３と、制御装置の操作部（４７，４８）と低圧側遮断器４９を配置して、収納ケース７の第１の開口部９からタップ切換器の手動操作部３３と制御装置の操作部（４７，４８）とを操作できるようにし、また移動変圧器２９の第１の側面３１ａと反対側の第２の側面３１ｂ側に高圧側遮断器３９を配置して収納ケース７に設けた第２の開口部１１を通して高圧側遮断器３９にアクセスできるようにし、更に収納ケース７の第３の側壁部７ｃに設けた第３の開口部１３を通して接続可能な位置に配置した高圧側端子５５Ｒ，５５Ｓ，５５Ｔを第３の開口部１３内において収納ケース７の第２の側壁部７ｂ側に配置し、また低圧側端子５７Ｕ1 〜５７Ｗ2 を収納ケース７の第１の側壁部７ａ側に配置すると、移動変圧器２９の両側に低圧側機器と高圧側機器とを別けて配置することができて、収納ケース７の第３の側壁部７ｃと第４の側壁部７ｄとの間の距離を短くしても、各機器を収納ケース７の内部に収納することができる。したがって収納ケース７を従来よりも大幅に小型化することができる。またこのように配置すると、収納ケース７の内部における低圧側の電気的な接続と高圧側の電気的な接続とを、短い配線で且つ配線が複雑にならずに、簡単に行うことができる。更に低圧側遮断器４９と高圧側遮断器３９とを移動変圧器２９の両側に別けて配置すると、手動操作により低圧側遮断器４９と高圧側遮断器３９とを操作する場合に、低圧側と高圧側を誤って操作する可能性が低くなる。
【００３４】
収納ケース７の第１の開口部９を通してアクセスできる位置即ち低圧側遮断器４９の下側のスペースには、バッテリ（二次電池）６５とバッテリ６５の充電器６７が配置されている。このバッテリ６５は、制御装置（４７，４８）の電源回路の電源の一部を構成しており、制御装置（４７，４８）は高圧側遮断器３９が投入されるまでは、バッテリ６５を電源として動作するように構成されている。このようにバッテリ６５を搭載すると、定常運転時の制御電源となる移動変圧器２９が充電されていない段階でも、制御装置（４７，４８）を動作状態にすることができる。そのため高圧側遮断器３９を投入する前に低圧側ケーブルの欠相及び接地の不良を検出することができるので、作業の安全性を高めることができる。充電器６７の内部には、移動変圧器２９の出力を整流してバッテリ６５を充電する充電回路が内蔵されており、充電器６７は移動変圧器２９の運転時にバッテリ６５を充電する。また図１０を見ると分かるように、バッテリ６５は充電端子６６を通して１００Ｖの商用電源によっても充電可能である。なお高圧側遮断器３９が投入された後は、制御装置（４７，４８）は充電器６７の出力を電源として動作する。そしてこの例では高圧側遮断器３９の駆動電力を低圧側遮断器４９の出力側即ち既設変圧器の低圧側から得ているが、バッテリ６５から高圧側遮断器３９の駆動電力を得るようにしてもよいのは勿論である。このようにすると停電時に移動変圧器を使用する場合でも、高圧側遮断器３９を電動で駆動することができる。
【００３５】
図１０に示した回路において、６９は高圧側遮断器３９の駆動回路であり、７１は低圧側遮断器４９の駆動回路である。また４７ａは、表示機能付き操作装置４７の内部に収納された制御回路であり、その主要部はマイクロコンピュータによって構成されている。また４７ｂは表示機能付き操作装置４７の表示手段であって、この例では液晶タッチパネルにより表示手段４７ｂが構成されている。制御装置の制御回路４７ａは、移動用変圧器２９の二次側出力の電圧Ｕ２〜Ｎ２と電流を入力として測定した移動用変圧器２９の二次側線間電圧及び位相と低圧側端子５７Ｕ1 〜５７Ｗ2 を通して入力された既設変圧器の二次側の電圧Ｕ１〜Ｎ１を測定して得た既設変圧器の二次側の線間電圧及び位相との電圧差及び位相差を検出し、これらの電圧差及び位相差が許容範囲に入っているか否かを判定して、その結果を表示手段４７ｂに表示させる機能（検相機能）を有している。なおこのような検相に関する技術の一例は、実公平５−４０６８１号公報等に詳しく説明されている。
【００３６】
また制御回路４７ａは，電圧Ｕ２〜Ｎ２及び電圧Ｕ１〜Ｎ１に基づいて、高圧側ケーブルが高圧側端子５５Ｒ〜５５Ｔに接続されているか否か及び低圧側ケーブルが低圧側端子５７Ｕ1 〜５７Ｗ2 に接続されているか否かを判定して表示手段４７ｂに表示させる機能（誤配線検出機能）を有している。
【００３７】
更に制御回路４７ａには、バッテリ６５または充電器６７の出力を電源として高圧側遮断器３９が投入状態にあるときに投入状態検出信号を出力する高圧側遮断器投入状態検出回路７４が接続されている。この高圧側遮断器投入状態検出回路７４は、一端がバッテリ６５及び充電器６７の出力に電気的に接続され他端が制御回路４７ａの入力に電気的に接続された検出スイッチ７３を備えている。この検出スイッチ７３は、高圧側遮断器３９の操作軸によってオンオフされるマイクロスイッチであり、高圧側遮断器３９が投入状態にあるときにオン状態となり、高圧側遮断器３９が遮断状態にあるときにオフ状態となる。したがって検出スイッチ７３がオン状態にあるときには、制御電源スイッチＳＷ２がオン状態になったときに、制御回路４７ａにオン信号（投入状態検出信号）が入力され、制御回路４７ａはこの信号を受信している間表示手段４７ｂに高圧側遮断器３９が投入状態にあることを示す表示をする。
【００３８】
また制御回路４７ａには、バッテリ６５または充電器６７の出力を電源として低圧側遮断器４９が投入状態にあるときに投入状態検出信号を出力する低圧側遮断器投入状態検出回路７６が接続されている。この低圧側遮断器投入状態検出回路７６は、一端がバッテリ６５及び充電器６７の出力に電気的に接続され他端が制御回路４７ａの入力に電気的に接続された検出スイッチ７５を備えている。この検出スイッチ７５は、低圧側遮断器４９の操作軸によってオンオフされるマイクロスイッチであり、低圧側遮断器４９が投入状態にあるときにオン状態となり、低圧側遮断器４９が遮断状態にあるときにオフ状態となる。したがって検出スイッチ７５がオン状態にあるときには、制御電源スイッチＳＷ２がオン状態になったときに、制御回路４７ａにオン信号（投入状態検出信号）が入力され、制御回路４７ａはこの信号を受信している間表示手段４７ｂに低圧側遮断器４９が投入状態にあることを示す表示をする。
【００３９】
また制御回路４７ａは、高圧側遮断器３９の投入条件についても判定する機能を有している。この場合の投入条件は、低圧側ケーブルの欠相と接地不良がなく、しかも低圧側遮断器４９が遮断状態にあることであり、この投入条件が揃っている場合にのみ、表示手段４７ｂの画面上のスイッチを操作したときに高圧側遮断器３９の駆動回路６９に投入指令が出力される。この投入条件が揃っていない場合には、表示手段４７ｂに満たされていない投入条件を文字または画像で表示し、また投入条件が満たされている場合にはその旨を表示手段４７ｂに文字または画像で表示するように制御回路４７ａが構成されている。
【００４０】
更に制御回路４７ａは、低圧側遮断器４９の投入条件（検相結果が正しいこと、接地ケーブルを含めてすべてのケーブルが正しく接続されていること、高圧側遮断器３９が投入状態にあること）が揃っている場合にのみ低圧側遮断器４９の投入を許容する機能（安全機能）を有している。この安全機能は、投入条件が揃っていなければ、表示機能付き操作装置４７の表示手段４７ｂの画面上のスイッチを操作しても低圧側遮断器４９の駆動回路７１に投入指令が出力されないようにする機能である。このような機能は、従来の装置でも採用されている。なおこの例では、表示手段４７ｂに満たされていない投入条件を文字または画像で表示し、また投入条件が満たされている場合には、その旨を表示手段４７ｂに文字または画像で表示するように制御回路４７ａが構成されている。
【００４１】
この例では、高圧側遮断器３９の駆動回路６９の電源を、低圧側遮断器４９の二次側即ち既設変圧器の二次側の電源から（二次側の充電状態にある負荷から）得るようになっており、低圧側遮断器４９の駆動回路７１の電源は移動変圧器２９の二次側から得るようになっている。そのため既設変圧器側が停電状態で低圧側端子５７Ｕ1 〜５７Ｗ2 に電圧が印加されていない場合（負荷側が充電状態にない場合）には、高圧側遮断器３９を電動では投入状態にすることができない。そのような場合には、手動で投入レバー４５を回転させて高圧側遮断器３９を投入する。正常時であれば高圧側遮断器３９を遮断する場合には、表示機能付き操作装置４７により高圧側遮断器３９を遮断状態する。そして非常時に高圧側遮断器３９を遮断する必要がある場合には、低圧側遮断器４９の二次側即ち既設変圧器の二次側が充電状態にあれば、非常停止スイッチＳＷ１をオン状態にして、高圧側遮断器３９の駆動回路６９の引き外し機構を作動させることにより高圧側遮断器３９は遮断状態にする。なお非常時に、低圧側遮断器４９の二次側即ち既設変圧器の二次側が充電状態になければ、手動で引き外しレバー４６を押し下げることにより高圧側遮断器３９のラッチ機構を引き外して高圧側遮断器３９を遮断状態にする。
【００４２】
この例の装置を例えば既設変圧器を周囲に十分なスペースがない場所で交換する際の作業手順及び装置の運転手順について説明する。トラック３を既設変圧器の近くに停車させる。そして第１及び第３の開閉扉１５及び１３を開け、第１の開口部９から手を入れて制御装置固定側本体部４８上の制御電源スイッチＳＷ２をオン状態にして、バッテリ６５により制御回路４７ａの電源が入る。表示機能付き操作装置４７を操作装置固定部５１から外し、トラック３の荷台３ａの上の作業者に表示機能付き操作装置４７を渡す。トラック３の荷台３ａの作業者は、収納ケース７の上のケーブル収納部２７からケーブルを荷台３ａの上に下ろす。そしてトラック３の荷台３ａの上の作業者は、表示機能付き操作装置４７の表示手段４７ｂの画面で、高圧側遮断器３９及び低圧側遮断器４９が投入状態にないことを確認した後に、まず荷台３ａの上で低圧側端子５７Ｕ1 〜５７Ｗ2 に低圧側ケーブルを接続し、接地端子５８に接地用ケーブルの一端を接続し、その他端を所定の手順で接地する。次に高圧側端子５５Ｒ，５５Ｓ，５５Ｔに高圧側ケーブルを接続する。その後、低圧側ケーブルを既設変圧器の活線状態にある二次側（低圧側）線路に接続する。そしてこの状態で、低圧側ケーブルの欠相及び接地の不良を表示機能付き操作装置４７の表示手段４７ｂの画面で確認する。その後、高圧ケーブルを既設変圧器の活線状態にある一次側（高圧側）線路に接続する。
【００４３】
次に制御回路４７ａが高圧側遮断器３９の投入条件が揃っていることを表示している場合には、表示機能付き操作装置４７の表示手段４７ａ上の高圧側遮断器投入スイッチを押して高圧側遮断器３９を投入する。次に低圧側で検相をして制御回路４７ａが低圧側遮断器４９の投入条件を判定し、低圧側遮断器４９の投入条件が揃っていることを表示手段４７ｂに表示している場合には、表示機能付き操作装置４７の表示手段４７ａ上の低圧側遮断器投入スイッチを押して低圧側遮断器４９を投入し、移動変圧器２９を既設変圧器と並列運転させる。投入操作は、トラックの荷台３ａの上またはトラックの周囲でスペースのある場所に作業者が立って行う。移動変圧器２９と既設変圧器の出力電圧が合わない場合には、移動変圧器２９のタップ切換器の手動操作部（ハンドル）３３を回転させて、電圧調整をする。電圧調整を行っても電圧及び位相が一致しない場合には、ある程度時間をおいて再度投入動作を実行する。移動変圧器２９を既設変圧器と並列運転させた後、既設変圧器を配電線から切り離して既設変圧器の交換を行う。そして既設変圧器の交換が完了した後は、交換した変圧器と移動変圧器２９を並列運転させた後に、低圧側遮断器４９を遮断状態にして切り離し、その後に高圧側遮断器３９を遮断状態にする。その後制御電源スイッチＳＷ２をオフ状態とし、また高圧側ケーブルと低圧側ケーブルを取外し、収納ケース７の上のケーブル収納部２７にケーブルを載せ、第１及び第３の開閉扉１５及び１９を閉じる。なお荷台３ａの上にはその他の器材及び交換した既設変圧器を載せてもよい。
【００４４】
上記例では、収納ケースの外部に極力突出物を出さないようするために、高圧側端子及び低圧側端子を収納ケース７の内部に配置したが、高圧側端子及び低圧側端子を収納ケースの外部または外壁（収納ケースの第３の側壁部）に配置してもよいのは勿論である。
【００４５】
また上記例では、第２の開口部を閉じる開閉扉を蝶番を利用した開閉扉にしているが、第２の開口部を閉じる開閉扉を第１及び第３の開口部に対して設けた開閉扉と同様にスライド式の開閉扉にしてもよい。
【００４６】
【発明の効果】
本発明によれば、移動変圧器の第１の側面側にタップ切換器の手動操作部と、制御装置の操作部と低圧側遮断器を配置して、収納ケースの第１の開口部からタップ切換器の手動操作部と制御装置の操作部とを操作できるようにし、また移動変圧器の第１の側面と反対側の第２の側面側に高圧側遮断器を配置して収納ケースに設けた第２の開口部を通して高圧側遮断器にアクセスできるようにし、更に収納ケースのトラックの荷台の後方側に向かって開口する第３の開口部を通して接続可能な位置に配置した高圧側端子と低圧側端子とを配置するかまたは第３の側壁部に高圧側端子と低圧側端子とを配置すると、移動変圧器の両側に低圧側機器と高圧側機器とを別けて配置することができて、収納ケースの第３の側壁部と第４の側壁部との間の距離（トラックの荷台の前後方向に位置する２つの側壁部間の寸法）を短くしても、各機器を収納ケースの内部に収納することができ、収納ケースを従来よりも大幅に小型化することができる利点がある。また収納ケースの内部における低圧側の電気的な接続と高圧側の電気的な接続とを、短い配線で且つ配線が複雑にならずに、簡単に行うことができる利点がある。
【００４７】
また移動変圧器の第２の側面に、高圧側遮断器と高圧側端子との間に設けられる限流ヒューズを固定し、高圧側遮断器を限流ヒューズの下方に配置すると、限流ヒューズを固定するための構造物が不要になるだけでなく、限流ヒューズと高圧側遮断器の設置スペースを小さくすることができて、収納ケースの更なる小型化を図ることができる利点がある。
【００４８】
また移動変圧器の第３の側面に、低圧側遮断器を固定すると、低圧側遮断器を固定するための構造物が不要になるだけでなく、低圧側遮断器の設置スペースを小さくすることができる利点がある。
【００４９】
更に移動変圧器の第３の側面に、移動変圧器の二次側端子と低圧側遮断器とを接続するケーブルに装着されて電流を測定する変流器を固定すると、変流器を固定するためだけの構造物が不要になるだけでなく、変流器の設置スペースを小さくすることができる利点がある。
【図面の簡単な説明】
【図１】本発明の移動変圧器設備をトラックの荷台に搭載したトラック搭載型移動変圧器設備の左側面図である。
【図２】図１のトラック搭載型移動変圧器設備の平面図である。
【図３】図１のトラック搭載型移動変圧器設備の右側面図である。
【図４】図１のトラック搭載型移動変圧器設備の背面図である。
【図５】移動変圧器設備の収納ケースの内部構造を移動変圧器設備の背面から見た図である。
【図６】図５の移動変圧器設備の平面図である。
【図７】図５の移動変圧器設備の左側面図である。
【図８】図５の移動変圧器設備の右側面図である。
【図９】移動変圧器設備をトラックの荷台に載せた状態で移動変圧器設備の内部構造を示した図である。
【図１０】図５の移動変圧器設備の回路図である。
【符号の説明】
１  トラック搭載型移動変圧器設備
３  トラック
５  移動変圧器設備
７  収納ケース
９，１１，１３  第１乃至第３の開口部
１５，１７，１９  第１乃至第３の開閉扉
２９  移動変圧器
３１  変圧器ケース
３５Ｒ，３５Ｓ，３５Ｔ  一次側端子
３７Ｕ，３７Ｖ，３７Ｗ，３７Ｎ  二次側端子
３９  高圧側遮断器
４１Ｒ，４１Ｓ，４１Ｔ  限流ヒューズ
４５  投入レバー
４７  表示機能付き操作装置
４８  制御装置固定側本体部
４９  低圧側遮断器
５５Ｒ，５５Ｓ，５５Ｔ  高圧側端子
５７Ｕ1 〜５７Ｗ2   低圧側端子
６５  バッテリ
６７  充電器
【図１】
0004144929.tif 000002
【図２】
0004144929.tif 000003
【図３】
0004144929.tif 000004
【図４】
0004144929.tif 000005
【図５】
0004144929.tif 000006
【図６】
0004144929.tif 000007
【図７】
0004144929.tif 000008
【図８】
0004144929.tif 000009
【図９】
0004144929.tif 000010
【図１０】
0004144929.tif 000011